(57)【要約】  本発明は、ウォータパイプ（１１２）を構成するモジュール式セクション（１１４）に関するものであって、このセクションは、動作状態において水を導くためのチューブ状スペース（１３２）を包含し得る変形可能なメンブラン（１３０）と；チューブ状スペース（１３２）内において軸線方向（ＡＡ’）に沿って延在する複数のリング（１２０，１４０；１４１，１４２，１４３，１４４）からなるシリーズ（１３５）と；を具備し、複数のリングからなるシリーズが、２つの端部リング（１２０）と、少なくとも１つの中央リング（１４０，１４１，１４２，１４３，１４４）と、軸線方向に沿って各リングを隣接するリングに対して連結するケーブル（１５０，１６０）と、を備えている。
2017512293.tif 000002
【特許請求の範囲】
【請求項１】
ウォータパイプ（１１２）を構成するモジュール式のセクション（１１４）であって、
このセクション（１１４）が、
−このセクション（１１４）の動作状態において、軸線方向（ＡＡ’）を有した水を導くためのチューブ状スペース（１３２）を包含し得る変形可能なメンブラン（１３０）であるとともに、前記チューブ状スペース（１３２）内に存在する水と、前記メンブラン（１３０）の外部に存在する水と、を分離させ得る、メンブラン（１３０）を具備してなり、
前記セクション（１１４）が、さらに、
−前記チューブ状スペース（１３２）内において前記軸線方向（ＡＡ’）に沿って延在する複数のリング（１２０，１４０；１４１，１４２，１４３，１４４）からなるシリーズ（１３５）を具備し、
前記複数のリング（１２０，１４０；１４１，１４２，１４３，１４４）からなる前記シリーズ（１３５）が、
・２つの端部リング（１２０）であるとともに、各端部リング（１２０）が、前記軸線方向（ＡＡ’）に沿った前記セクション（１１４）の各端部（１１６，１１８）に配置され、前記変形可能なメンブランが前記端部リング（１２０）に対して固定された、２つの端部リング（１２０）と、
・前記２つの端部リング（１２０）の間に配置された少なくとも１つの中央リング（１４０，１４１，１４２，１４３，１４４）と、
・前記軸線方向（ＡＡ’）に沿って前記各リング（１２０，１４０；１４１，１４２，１４３，１４４）を隣接するリング（１２０，１４０；１４１，１４２，１４３，１４４）に対して連結するケーブル（１５０，１６０）と、
を備えている、
ことを特徴とするセクション。
【請求項２】
請求項１記載のセクション（１１４）において、
前記各ケーブル（１５０，１６０）が、端部リング（１２０）に対してあるいは中央リング（１４０；１４１，１４２，１４３，１４４）に対して連結された第１端部（１５１）および第２端部（１５２）を備え、
前記第１端部（１５１）および前記第２端部（１５２）が、各リング（１２０，１４０；１４１，１４２，１４３，１４４）まわりにおいて、角度的に均等に分散して配置されている、
ことを特徴とするセクション。
【請求項３】
請求項１または２記載のセクション（１１４）において、
−各ケーブル（１５０，１６０）が、第１中央リング（１４０；１４１，１４２，１４３，１４４）に対して連結された第１端部（１５１）と、端部リング（１２０）に対してあるいは第２中央リング（１４０；１４１，１４２，１４３，１４４）に対して連結された第２端部（１５２）と、を備え、
−各ケーブル（１５０，１６０）に関し、前記第１端部（１５１）が、前記第１中央リング（１４０；１４１，１４２，１４３，１４４）の前記第２端部（１５２）の直交的投影に対して、ｎを、前記第１中央リング（１４０；１４１，１４２，１４３，１４４）を前記第２中央リング（１４０；１４１，１４２，１４３，１４４）に対して連結しているあるいは前記第１中央リング（１４０；１４１，１４２，１４３，１４４）を前記端部リング（１２０）に対して連結しているケーブル（１５０，１６０）の数としたときに、３６０°／ｎよりも小さい角度の分だけ、角度的にオフセットされている、
ことを特徴とするセクション。
【請求項４】
請求項１〜３のいずれか１項に記載のセクション（１１４）において、
−連続した２つの前記リング（１２０，１４０；１４１，１４２，１４３，１４４）を連結している前記ケーブル（１５０，１６０）の数が、４以上とされ、
−前記複数のリングからなる前記シリーズ（１３５）が、少なくとも２つの前記中央リング（１４０；１４１，１４２，１４３，１４４）を有し、
−前記各リング（１２０，１４０；１４１，１４２，１４３，１４４）が、前記ケーブル（１５０，１６０）に対しての複数の固定ポイントを有し、
−前記中央リング（１４０；１４１，１４２，１４３，１４４）の前記各固定ポイントのところにおいて、前記ケーブルの各端部に関し、４つの前記ケーブル（１５０，１６０）のそれぞれの端部どうしが組み合わされており、２つの前記ケーブル（１６０）が、１つの前記中央リング（１４０；１４１，１４２，１４３，１４４）に対して連結され、他の２つの前記ケーブル（１５０，１６０）が、他の前記中央リング（１４０；１４１，１４２，１４３，１４４）に対してあるいは前記端部リング（１２０）に対して連結され、
−前記端部リング（１２０）の前記各固定ポイントのところにおいては、２つのケーブル（１５０）の端部が組み合わされている、
ことを特徴とするセクション。
【請求項５】
請求項１〜４のいずれか１項に記載のセクション（１１４）において、
前記セクション（１１４）が、動作位置と待機位置との間にわたって変形可能とされ、
前記中央リング（１４０；１４１，１４２，１４３，１４４）が、
−前記セクション（１１４）が前記動作位置にあるときには、前記変形可能なメンブラン（１３０）が、少なくとも１つの前記中央リング（１４０；１４１，１４２，１４３，１４４）に対して接触しているようにして、かつ、
−前記セクション（１１４）が前記待機位置にあるときには、少なくとも１つの前記中央リング（１４０；１４１，１４２，１４３，１４４）が、前記メンブラン（１３０）に対して、環状スペース（１７０）を形成するようにして、
配置されている、
ことを特徴とするセクション。
【請求項６】
請求項５記載のセクション（１１４）において、
前記ケーブル（１５０，１６０）が、張力状態と緩和状態との間にわたって変形可能とされ、
前記各中央リング（１４０；１４１，１４２，１４３，１４４）が、外表面を有し、
前記セクション（１１４）が前記動作位置にあるときには、前記ケーブル（１５０，１６０）が、前記緩和状態とされ、前記各中央リング（１４０；１４１，１４２，１４３，１４４）が、それらの前記外表面の全体上にわたって、前記メンブラン（１３０）に対して接触している、
ことを特徴とするセクション。
【請求項７】
請求項５または６記載のセクション（１１４）において、
前記複数のリングからなる前記シリーズ（１３５）が、２つの前記端部リング（１２０）の間に配置された少なくとも２つの前記中央リング（１４０；１４１，１４２，１４３，１４４）を有し、
前記ケーブル（１５０，１６０）が、張力状態と緩和状態との間にわたって変形可能とされ、
前記セクション（１１４）が前記待機位置にあるときには、前記軸線方向（ＡＡ’）において前記各中央リング（１４０；１４１，１４２，１４３，１４４）を最も近くの前記中央リング（１４０；１４１，１４２，１４３，１４４）に対して連結している前記ケーブル（１５０）が、前記張力状態とされ、なおかつ、前記中央リング（１４０；１４１，１４２，１４３，１４４）を２つの前記端部リング（１２０）の一方に対して連結している前記ケーブル（１６０）が、前記張力状態とされている、
ことを特徴とするセクション。
【請求項８】
請求項１〜７のいずれか１項に記載のセクション（１１４）において、
連続した２つの前記リング（１２０，１４０；１４１，１４２，１４３，１４４）を連結している前記ケーブル（１５０）の数が、６以上とされている、
ことを特徴とするセクション。
【請求項９】
請求項１〜８のいずれか１項に記載のセクション（１１４）において、
前記複数のリングからなる前記シリーズ（１３５）が、２つの前記端部リング（１２０）の間に配置された少なくとも２つの前記中央リング（１４０；１４１，１４２，１４３，１４４）を有し、
前記中央リング（１４０；１４１，１４２，１４３，１４４）が、互いに同じものとされ、
前記中央リング（１４０；１４１，１４２，１４３，１４４）が、同一の対称軸線を有し、
この対称軸線の方向が、前記セクション（１１４）の前記軸線方向（ＡＡ’）と同じである、
ことを特徴とするセクション。
【請求項１０】
ウォータパイプ（１１２）であって、
請求項１〜９のいずれか１項に記載された複数のセクション（１１４）を備え、
連続した前記セクション（１１４）の前記端部リング（１２０）どうしが、並置されていて、互いに対して連結されている、
ことを特徴とするウォータパイプ。
【請求項１１】
海洋熱エネルギーシステム（１，１０６）であって、
特に請求項１０記載のウォータパイプといったような少なくとも１つのパイプ（１１２）を具備し、
前記パイプが、前記軸線方向（ＡＡ’）に沿った主軸線を有し、
前記パイプの前記主軸線が、鉛直方向に配置されている、
ことを特徴とする海洋熱エネルギーシステム。
【発明の詳細な説明】
【技術分野】
【０００１】
本発明は、ウォータパイプをなすモジュール式セクションであって、このモジュール式セクションの動作状態においては、水を導くための軸線方向を規定するチューブ状スペースを取り囲み得る変形可能なメンブランを具備し、このメンブランが、チューブ状スペース内に存在する水をメンブランの外部に存在する水から分離させ得るものとされている、ウォータパイプからなるモジュール式セクションに関するものである。
【０００２】
本発明は、複数のそのようなモジュール式セクションを具備したウォータパイプに関するものである。本発明は、さらに、そのようなウォータパイプを具備した海洋熱エネルギーシステムに関するものである。
【背景技術】
【０００３】
海洋熱エネルギー（ＯＴＥ）システムが公知であり、このシステムにおいては、表面の海水と深海の海水との間の温度差を利用して、発電機を駆動し、これにより、電力を生成する。例えば、表面の海水の温度は、２５℃に到達するものであり、他方、日光が当たらない深海の海水は、２〜４℃のままである。
【０００４】
そのようなシステムにおいては、冷水を吸い上げるために、ウォータパイプを必要とする。冷水用のウォータパイプは、非常に長いものであって、例えば６００ｍよりも長いものであって、１０００ｍを超える長さとなる場合もあり得る。しかしながら、そのようなウォータパイプは、例えば１９３５年において“Tunisia”ＯＴＥウォータパイプにおいて使用されたウォータパイプは、ＯＴＥシステムが搭載されたプラットホームに対しての接合部のところに深刻な変形が発生することに起因する問題点を有している。冷水用のウォータパイプは、スチールから形成され、２．５ｍという直径と７００ｍという長さとを有している。
【０００５】
最近の設備は、冷海水用のウォータパイプのために、高密度ポリエチレンが使用される。しかしながら、高密度ポリエチレンパイプの直径は、数ｍに制限される。
【０００６】
冷海水用の吸引パイプは、例えば膨潤や流れに関してといったような項目に関して、極限的な環境条件に耐え得るように構成することができる。サイクロン条件下においては、膨潤や流れは、局所的に強力なものとなる。したがって、風によって引き起こされた流れは、動作領域上にわたって、３ノットに到達し得る。風によって引き起こされた表面流れは、深くなるほど減少し、５０ｍの深度ではゼロに到達する。したがって、パイプの最初の数ｍの部分と、プラットホームに対しての連結部分とは、重要なポイントである。初期のシステムにおいては、問題点は、プラットホームに対しての冷海水ウォータパイプの連結部分の大きな変形に起因する。そのような変形は、パイプの全体的な損失や部分的な損失をもたらす。
【０００７】
この問題点に対処するために、特許文献１は、フレキシブルパイプが開示されており、このフレキシブルパイプは、複数のモジュール式セクションを有し、各モジュール式セクションは、２つの連結リングと、メンブランと、タイロッドと、を有している。特許文献２は、複数のフレキシブルなモジュール部材によって形成されたパイプが開示されており、モジュール部材どうしは、連結リングによって連結される。ロッドは、メンブランの構造を強化する。しかしながら、そのようなデバイスは、実施が比較的不便である。なぜなら、それらパイプのメンブランが、タイロッドの張力のために脆いものとなり得るからである。
【先行技術文献】
【特許文献】
【０００８】
【特許文献１】ＦＲ−Ａ−２，９７８，９７９
【特許文献２】ＥＰ−Ａ−２，５８５，６７７
【発明の概要】
【発明が解決しようとする課題】
【０００９】
ウォータパイプは、経済的に有利なコストのものである必要があり、製造や配置や分解が比較的便利である必要があり、極限的な環境条件に耐え得る必要があり、海水を大きな流速で搬送し得るものである必要がある。
【課題を解決するための手段】
【００１０】
上記の目的のために、本発明は、上記のタイプのウォータパイプを構成するモジュール式のセクションであって、このセクションが、さらに、チューブ状スペース内において軸線方向に沿って延在する複数のリングからなるシリーズを具備し、複数のリングからなるシリーズが、２つの端部リングであるとともに、各端部リングが、軸線方向に沿ったセクションの各端部に配置され、変形可能なメンブランが端部リングに対して固定された、２つの端部リングと、２つの端部リングの間に配置された少なくとも１つの中央リングと、軸線方向に沿って各リングを隣接するリングに対して連結するケーブルと、を備えている。
【００１１】
本発明によるセクションは、以下の様々な特徴点を、単独であるいは互いに組み合わせて、有することができる。
−各ケーブルが、端部リングに対してあるいは中央リングに対して連結された第１端部および第２端部を備え、第１端部および第２端部が、各リングまわりにおいて、角度的に均等に分散して配置されている、という特徴点。
−各ケーブルが、第１中央リングに対して連結された第１端部と、端部リングに対してあるいは第２中央リングに対して連結された第２端部と、を備え、各ケーブルに関し、第１端部が、第１中央リングの第２端部の直交的投影に対して、ｎを、第１中央リングを第２中央リングに対して連結しているあるいは第１中央リングを端部リングに対して連結しているケーブルの数としたときに、３６０°／ｎよりも小さい角度の分だけ、角度的にオフセットされている、という特徴点。
−各リングが、ケーブルに対しての複数の固定ポイントを有し、中央リングの各固定ポイントのところにおいて、ケーブルの各端部に関し、４つのケーブルのそれぞれの端部どうしが組み合わされており、２つのケーブルが、１つの中央リングに対して連結され、他の２つのケーブルが、他の中央リングに対してあるいは端部リングに対して連結され、端部リングの各固定ポイントのところにおいては、２つのケーブルの端部が組み合わされている、という特徴点。
−セクションが、動作位置と待機位置との間にわたって変形可能とされ、中央リングが、セクションが動作位置にあるときには、変形可能なメンブランが、少なくとも１つの中央リングに対して接触しているようにして、かつ、セクションが待機位置にあるときには、少なくとも１つの中央リングが、メンブランに対して、環状スペースを形成するようにして、配置されている、という特徴点。
−ケーブルが、張力状態と緩和状態との間にわたって変形可能とされ、各中央リングが、外表面を有し、セクションが動作位置にあるときには、ケーブルが、緩和状態とされ、各中央リングが、それらの外表面の全体上にわたって、メンブランに対して接触している、という特徴点。
−複数のリングからなるシリーズが、２つの端部リングの間に配置された少なくとも２つの中央リングを有し、ケーブルが、張力状態と緩和状態との間にわたって変形可能とされ、セクションが待機位置にあるときには、軸線方向において各中央リングを最も近くの中央リングに対して連結しているケーブルが、張力状態とされ、なおかつ、中央リングを２つの端部リングの一方に対して連結しているケーブルが、張力状態とされている、という特徴点。
−連続した２つのリングを連結しているケーブルの数が、６以上とされている、という特徴点。
−複数のリングからなるシリーズが、２つの端部リングの間に配置された少なくとも２つの中央リングを有し、中央リングが、互いに同じものとされ、中央リングが、同一の対称軸線を有し、この対称軸線の方向が、セクションの軸線方向と同じである、という特徴点。
−連続した２つのリングを連結しているケーブルの数が、４以上とされ、複数のリングからなるシリーズが、少なくとも２つの中央リングを有し、各リングが、ケーブルに対しての複数の固定ポイントを有し、中央リングの各固定ポイントのところにおいて、ケーブルの各端部に関し、４つのケーブルのそれぞれの端部どうしが組み合わされており、２つのケーブルが、１つの中央リングに対して連結され、他の２つのケーブルが、他の中央リングに対してあるいは端部リングに対して連結され、端部リングの各固定ポイントのところにおいては、２つのケーブルの端部が組み合わされている、という特徴点。
【００１２】
本発明は、また、ウォータパイプに関するものであって、このウォータパイプが、上述したような複数のセクションを備え、連続したセクションの端部リングどうしが、並置されていて、互いに対して連結されている。
【００１３】
さらに、本発明は、また、海洋熱エネルギーシステムに関するものであって、特に上述したようなウォータライザー（water riser）といったような少なくとも１つのパイプを具備し、パイプが、軸線方向に沿った主軸線を有し、パイプの主軸線が、鉛直方向に配置されている。
【００１４】
本発明は、添付図面を参照しつつ、本発明を例示するための以下の説明を参照することにより、明瞭となるであろう。
【図面の簡単な説明】
【００１５】
【図１】閉ループを有したＯＴＥシステムの一例を概略的に示す図である。
【図２】本発明の一実施形態に基づくＯＴＥシステムにおける浮遊式プラットホームを示す概略的な側面図である。
【図３】図２のプラットホームのウォータパイプセクションを、その待機状態で示す概略的な斜視図である。
【図４】図３のプラットホームのウォータパイプセクションを、その動作状態で示す概略的な斜視図である。
【図５】図３のプラットホームのウォータパイプセクションを、格納および搬送のための収縮状態で示す概略的な斜視図である。
【図６】図３のウォータパイプセクションの一部を、平面視において概略的に示す図である。
【発明を実施するための形態】
【００１６】
図１は、閉ループを有したＯＴＥシステム１の一例を概略的に示している。本発明は、また、開ループを有したＯＴＥシステムや、ハイブリッドループを有したＯＴＥシステムに対しても、適用することができる。
【００１７】
ＯＴＥシステム１は、蒸発器１０を有している。この蒸発器１０に対しては、供給ホース１２を通して、例えば表面海水といったような暖かい流体が、供給される。温流体は、蒸発器１０内で使用され、これにより、閉回路２０内を循環する動作流体を蒸発させる。この動作流体は、例えばアンモニアといったようなものであり、動作流体ポンプ２２によって閉回路内で駆動される。
【００１８】
蒸発器１０を通過した後に、温流体は、排出ホース１４を通して海へと排出される。排出ホース１４は、場合によっては、排出パイプとも称される。
【００１９】
高圧下において蒸発器１０内で蒸発された動作流体は、シャフト３４を介して定電流源３２に対して連結された膨脹タービン３０へと供給される。タービン３０内においては、動作流体は、膨張される。次に、動作流体は、コンデンサ４０へと送られ、コンデンサ４０内において冷却されて凝縮される。その後、動作流体は、動作流体ポンプ２２によって蒸発器１０へと戻される。コンデンサ４０に対しては、深海の海水といったような冷流体が、冷海水パイプ４１を通して供給される。この冷流体は、冷流体ポンプ４２により駆動され、この冷海水ポンプ４２は、冷流体を、コンデンサ４０に対して送出する。加熱された流体は、排出ホース４４を通して海へと排出される。図１に示す例においては、冷流体ポンプ４２は、冷海水パイプ４１の上部のところに配置されている、すなわち、冷海水パイプ４１の下流側に配置されている。この場合には、冷海水パイプ４１は、真空吸引によって動作する。
【００２０】
図２は、海洋水１０２上の浮遊式プラットホーム１００を示している。このプラットホーム１００は、表面１０４を有した海洋水１０２上を浮遊している。ＯＴＥシステム１０６が、プラットホーム１００上に配置されている。代替可能な実施形態においては、プラットホーム１００は、他の態様を有することができる。例えば、バージ（はしけ）の態様とすることができる。プラットホーム１００は、アンカー止め手段１０８，１１０によって、ほぼ同じ場所に維持されている。アンカー止め手段１０８，１１０は、プラットホームを、海底に対して連結している。冷海水パイプ１１２が、プラットホーム１００の底部１１１に対して固定されている。冷海水パイプ１１２は、軸線方向ＡＡ’に沿って互いに固定された複数のモジュール式セクション１１４から構成されている。動作場所に依存して、冷海水パイプ１１２の長さは、約１１００ｍという深さに到達する。ある代替可能な実施形態においては、ＯＴＥシステム１０６は、ただ１つの冷海水パイプに代えて、いくつかの冷海水パイプ１１２を有することができる。ただ１つの冷海水パイプ１１２が設けられている場合には、冷海水パイプ１１２の直径は、１〜１３ｍとされる。冷海水パイプ１１２の直径は、ＯＴＥシステム１０６の電力に依存する。
【００２１】
図２に示すように、冷海水パイプ１１２は、モジュール的に構成されている。冷海水パイプ１１２のセクション１１４は、地上でそれぞれ個別的に製造されて、動作場所へと搬送され、そして、組み立てられて、プラットホーム１００からあるいはバージやボート等の他のプラットホームから垂下される。
【００２２】
冷海水パイプ１１２のセクション１１４については、図３〜６を参照して、詳細に後述する。冷海水パイプ１１２は、プラットホーム１００の直下に直接的に固定され、軸線方向に沿っての動的振る舞いにおける緩和のリスクを防止できる程度の最小の鉛直方向張力でもって維持される。さらに、一実施形態においては、冷海水パイプ１１２は、その下端においてバラストで安定化させるべきである。それは、真空によって引き起こされた冷海水パイプ１１２の変形を制限するためであり、また、冷海水パイプ１１２の移動に関しての流れの影響を制限するためである。一実施形態においては、冷海水パイプ１１２は、底部における端部が自由端とされる。
【００２３】
本明細書においては、「上」や「下」といったような用語は、モジュール式セクションがＯＴＥプラットホーム上に配置された際に、モジュール式セクションによって形成されるパイプ内の水の循環方向に対して参照されていることを理解されたい。
【００２４】
図３〜６は、本発明によるモジュール式セクション１１４の一例を示している。
【００２５】
セクション１１４は、２つの端部リング１２０と、メンブラン１３０と、ケーブル１５０，１６０によって連結された複数の中央リング１４０からなるシリーズ１３５と、を有している。以下においては、２つの端部リング１２０は、フランジと称される。
【００２６】
セクション１１４は、モジュール式とされている。これは、いくつかのセクション１１４からなる構成が、図２における冷海水パイプ１１２と同様のパイプを形成し得ることを、意味している。
【００２７】
セクション１１４は、全体的に円筒形であって、円形ベースを有している。セクション１１４の母線（generatrix）は、軸線方向ＡＡ’に沿っている。セクション１１４は、上端１１６と下端１１８とを有している。
【００２８】
セクション１１４は、軸線方向ＡＡ’に沿って曲げ可能である。セクション１１４は、待機位置と称されて図３に図示されているような待機延伸位置と、動作位置と称されて図４に図示されているような動作延伸位置と、図５に図示されているような格納のための収縮位置と、の間にわたって、変形可能とされている。セクション１１４の様々な位置に関しては、後述する。
【００２９】
各フランジ１２０は、セクション１１４のうちの、軸線方向ＡＡ’に沿って互いに離間した端部１１６，１１８のところに配置されている。セクション１１４の上端１１６のところに配置されたフランジ１２０は、上側フランジと称される。セクション１１４の下端１１８のところに配置されたフランジ１２０は、下側フランジと称される。
【００３０】
フランジ１２０は、環状形状とされている。有利には、フランジ１２０は、１〜１５ｍという直径を有している。フランジ１２０は、互いに同じ対称軸線を有している。対称軸線の方向は、セクション１１４の軸線方向ＡＡ’である。
【００３１】
一実施形態においては、フランジ１２０は、Ｉビーム型の公称形状（ＩＰＮ）を有している。例えば、フランジ１２０は、８００ｍｍ×４００ｍｍというＩＰＮ形状を有している。
【００３２】
互いに異なる２つのセクション１１４のフランジ１２０どうしを、互いに取り付けることができる。一方のセクション１１４の下側フランジ１２０と、他方のセクション１１４の上側フランジ１２０と、からなるアセンブリにより、２つのセクション１１４から構成されたパイプを形成することができる。よって、互いに組み合わせるべきセクション１１４の数を選択することができる。これにより、用途に応じて、冷海水パイプ１１２の長さを、所望の長さとすることができる。２つのフランジ１２０の組み付けは、組み立てられた２つのセクション１１４の内側が外部の水からシールされるようにして、行われる。
【００３３】
図２の例においては、冷海水パイプ１１２のすべてのフランジ１２０は、深さに関係なく、同じ特徴点を有している。他の実施形態においては、フランジ１２０の形状は、冷海水パイプ１１２の位置に応じて、最適化される、とりわけそのプロファイルが最適化される。これは、各フランジ１２０に関し、フランジの形状が、冷海水パイプ１１２内の、深さにつれて低減するような真空に適合することを、意味している。
【００３４】
フランジ１２０は、メンブラン１３０と比較して、極めて剛直なものとされている。
【００３５】
フランジ１２０は、コンクリートから形成される。これに代えて、フランジ１２０は、例えばスチールやチタンや複合材料等といったような材料から形成される。
【００３６】
メンブラン１３０が、下側フランジ１２０と上側フランジ１２０との間に延在している。メンブラン１３０は、例えば緊密な態様でもって、両フランジ１２０に対して固定されている。
【００３７】
メンブラン１３０は、全体的に円筒形状であって、円形ベースを有している。その母線は、セクション１１４の軸線方向ＡＡ’に沿っている。メンブラン１３０は、軸線方向ＡＡ’に沿ってチューブ状スペース１３２を形成している。チューブ状スペース１３２は、好ましくは、軸線方向ＡＡ’まわりの回転対称スペースである。
【００３８】
メンブラン１３０は、チューブ状スペース１３２の内部へと水を導入することができる。
【００３９】
メンブラン１３０は、変形可能である。
【００４０】
メンブラン１３０は、冷海水パイプ１１２の質量に関連した鉛直方向力に耐えることができる。
【００４１】
メンブラン１３０は、チューブ状スペース１３２内に存在する水を、メンブラン１３０の外部に存在する水から、分離させることができる。メンブラン１３０は、シール機能を果たす。メンブラン１３０は、水に対して不浸透性である。
【００４２】
メンブラン１３０の材質は、織物であり、例えば、合成織物である。
【００４３】
複数のリングからなるシリーズ１３５は、チューブ状スペース１３２内において軸線方向ＡＡ’に沿って延在している。図示の例においては、複数のリングからなるシリーズ１３５は、２つのフランジ１２０と、４つの中央リング１４０と、端部ケーブル１５０と、中間ケーブル１６０と、を有している。
【００４４】
中央リング１４０は、セクション１１４の２つのフランジ１２０の間において、チューブ状スペース１３２内に配置されている。
【００４５】
中央リング１４０は、互いに同じ対称軸線を有している。対称軸線の方向は、セクション１１４の軸線方向ＡＡ’である。
【００４６】
中央リング１４０は、円形である。中央リング１４０の直径は、好ましくは、１〜１５ｍとされている。この例においては、中央リング１４０は、互いに同じである。各中央リング１４０は、環状表面という態様とされた外表面を有している。
【００４７】
中央リング１４０は、メンブラン１３０と比較して、極めて剛直なものとされている。
【００４８】
中央リング１４０どうしの間の距離は、中央リング１４０のポイントと、他の中央リング１４０がなす平面内への軸線方向ＡＡ’に沿った投影と、の間の距離として規定される。同様に、中央リング１４０とフランジ１２０との間の距離は、中央リング１４０のポイントと、フランジ１２０がなす平面内への軸線方向ＡＡ’に沿った投影と、の間の最短距離として規定される。この例においては、複数のリングからなるシリーズ１３５における連続した２つの中央リング１４０の間の距離、および、フランジ１２０とフランジに最も近い中央リング１４０との間の距離は、セクション１１４の長さ全体にわたって、互いに同じとされている。連続した２つのリング１２０，１４０の間の距離は、有利には、０．５〜８、とされる。
【００４９】
中央リング１４０は、セクション１１４が動作位置にあるときには、変形可能なメンブラン１３０が少なくとも１つの中央リング１４０に対して接触するようにして、なおかつ、セクション１１４が待機位置にあるときには、少なくとも１つの中央リング１４０がメンブラン１３０と一緒に環状スペース１７０を規定するようにして、配置されている。これは、中央リング１４０どうしの間の形状および距離が、動作時に、セクション１１４の寸法に対しておよびメンブラン１３０の変形に対して適合していること、を意味している。
【００５０】
図３の例においては、セクション１１４は、待機位置とされており、各中央リング１４０は、メンブラン１３０と一緒に環状スペース１７０を規定している。各環状スペース１７０は、中央リング１４０を完全に囲んでいる。環状スペース１７０の寸法は、すなわち、中央リング１４０の外表面のポイントとメンブラン１３０との間の距離は、１０〜２００ｍｍとされている。このような待機位置においては、メンブラン１３０と中央リング１４０との間に、直接的なリンクが存在していないことに、注意されたい。
【００５１】
セクション１１４が動作位置にあるときには、図４の例においては、すべての中央リング１４０が、これら中央リング１４０の外表面の全体にわたって、メンブラン１３０に対して接触している。
【００５２】
各フランジ１２０に関し、フランジ１２０に最も近い中央リング１４０は、軸線方向ＡＡ’に沿っての中央リング１４０とフランジ１２０との間の距離が最も短い中央リング１４０として、規定される。同様に、各中央リング１４０に関し、最も近い中央リング１４０は、対象となっている中央リング１４０に対しての軸線方向ＡＡ’に沿っての距離が最も短い中央リング１４０である。
【００５３】
以下においては、理解を容易なものとするために、複数のリングからなるシリーズ１３５における中央リング１４０に、順序が付される。第１リング１４１は、上側フランジ１２０に対して最も近い中央リング１４０である。第２リング１４２は、第１リング１４１に対して最も近い下側の中央リング１４０である。第３リング１４３は、第２リング１４２に対して最も近い下側の中央リング１４０である。第４リング１４４は、下側フランジ１２０に対して最も近い中央リング１４０である。
【００５４】
中間ケーブル１５０は、複数のリングからなるシリーズ１３５内の隣接する中央リング１４０どうしを互いに連結している。中間ケーブル１５０の構成は、図３に図示されている。
【００５５】
６個の中間ケーブル１５０が、第１リング１４１を第２リング１４２に対して連結しており、６個の中間ケーブル１５０が、第２リング１４２を第３リング１４３に対して連結しており、６個の中間ケーブル１５０が、第３リング１４３を第４リング１４４に対して連結している。
【００５６】
各中間ケーブル１５０は、上側の中央リング１４０に対して連結された第１端部１５１と、下側の中央リング１４０に対して連結された第２端部１５２と、を有している。
【００５７】
中間ケーブル１５０は、フレキシブルである。中間ケーブル１５０は、張力状態と緩和状態との間にわたって変形可能である。
【００５８】
一実施形態においては、中間ケーブル１５０は、合成材料から形成され、例えば、高張力のポリエチレンやアラミドやポリアミド等から形成される。
【００５９】
端部ケーブル１６０は、中間ケーブル１５０と同様の特性を有している。相違点につき、以下において説明する。
【００６０】
６個の端部ケーブル１６０が、上側フランジ１２０を第１リング１４１に対して連結しており、６個の端部ケーブル１６０が、下側フランジ１２０を第４リング１４４に対して連結している。端部ケーブル１６０は、中間ケーブル１５０と比較して、一方の端部が、中央リング１４０に対してではなくフランジ１２０に対して連結されている点において、相違している。
【００６１】
各中央リング１４０上において、中間ケーブル１５０の端部１５１，１５２は、角度的に均等に分散配置されている。
【００６２】
各中間ケーブル１５０に関し、第１端部１５１は、上側の中央リング１４０上における第２端部１５２の直交的投影と比較して、角度的にオフセットされている。図示の例においては、角度オフセットは、６０°とされている。角度オフセットの値は、ｎを、下側の中央リング１４０を上側の中央リング１４０に対して連結している中間ケーブル１５０の数としたときに、３６０°／ｎに等しい。
【００６３】
各中央リング１４０は、ケーブル１５０，１６０のための３つの固定ポイントを有している。固定ポイントの数は、ｎを、中央リング１４０を下側のまたは上側の中央リング１４０に対して連結している中間ケーブル１５０の数としたときに、ｎ／２に等しい。中央リング１４０の各固定ポイントのところにおいては、４つのケーブル１５０，１６０の端部１５１，１５２が組み合わされており、２つのケーブル１５０は、一方のリング１２０，１４０に対して連結されており、他の２つのケーブル１５０，１６０は、他方のリング１２０，１４０に対して連結されている。
【００６４】
図６は、連続した２つの中央リング１４２，１４３に関する固定ポイントの構成を示している。図６は、○印によって示された３つの固定ポイントを有した第２リング１４２と、△印によって示された第２リング１４２上への第３リング１４３の固定ポイントの直交的投影と、を示している。第２リング１４２の固定ポイントは、第２リング１４２上において角度的に均等に分散して配置されており、互いに１２０°だけ離間されている。第２リング１４２の固定ポイントと、第３リング１４３の固定ポイントの直交的投影と、の間の角度オフセットは、６０°である。
【００６５】
これは、図３に図示されているものである。すなわち、隣接する固定ポイントのところにおいて第３リング１４３に対して連結された２つの中間ケーブル１５０と、第１リングに対して連結された２つの中間ケーブル１５０とは、第２リング１４２の各固定ポイントから延出されている。２つのケーブルは、第２リング１４２の各固定ポイントから、第３リング１４３の２つの隣接するポイントに向けて、延出されている。また、逆も成立する。
【００６６】
各フランジ１２０上における端部ケーブル１６０の端部の構成は、中央リング１４０上における構成と同様である。
【００６７】
よって、各フランジ１２０は、端部ケーブル１６０に関し、角度的に均等に分散して配置された３つの固定ポイントを有している。固定ポイントは、対象となっているフランジ１２０の最も近い中央リング１４１，１４４の固定ポイントの直交的投影に対して、６０°だけ角度オフセットされている。
【００６８】
２つの端部ケーブル１６０は、上側フランジ１２０の各固定ポイントから延出されており、上側フランジ１２０を第１リング１４１に対して連結している。２つの端部ケーブル１６０は、上側フランジ１２０の各固定ポイントから延出されており、上側フランジ１２０を第１リング１４４に対して連結している。
【００６９】
ケーブル１５０，１６０の構成により、セクション１１４が待機位置とされたときにはあるいは動作位置とされたときに、複数のリングからなるシリーズ１３５のケーブル１５０，１６０と、メンブラン１３０と、の間のいかなる接触をも、回避することができる。メンブラン１３０とケーブル１５０，１６０との間の接触が無いことにより、擦れに基づくメンブラン１３０の摩耗およびケーブル１５０，１６０の摩耗を回避することができる。
【００７０】
一実施形態においては、いくつかのケーブル１５０，１６０は、上側フランジ１２０から下側フランジ１２０へと、複数のリングからなるシリーズ１３５の様々な中央リングの固定ポイントを通過する同一のケーブルまたはワイヤによって形成される。その場合、ケーブルまたはワイヤは、パイプ１１２のセクション１１４の周縁まわりにおいて、ジグザグ形状を有している。
【００７１】
以下においては、セクション１１４の動作につき、図３〜５に示されたセクション１１４の様々な位置を参照して、説明する。
【００７２】
図３は、待機位置においてセクション１１４を概略的に示す側面図である。待機位置は、冷海水パイプ１１２が停止している際のセクション１１４の位置に対応する、すなわち、冷海水パイプ１１２内における水の循環が存在していない場合のセクション１１４の位置に対応する。
【００７３】
セクション１１４の待機位置においては、中間ケーブル１５０には、張力がかけられており、２つの端部ケーブル１６０に対して連結された端部ケーブル１６０にも、張力がかけられている。例えば、セクション１１４が、プラットホーム上に設置されたパイプのモジュールとされている場合には、上側フランジ１２０の端部ケーブル１６０と、中間ケーブル１５０と、に対して張力がかけられている。上側フランジ１２０の端部ケーブル１６０と、中間ケーブル１５０とは、複数のリングからなるシリーズ１３５の重量を支持する。ケーブルの張力は、リング１２０，１４０の重量にのみ依存する。よって、対象となっているリング１２０，１４０に対しての、セクション１１４の他の構成部材からの外力を必要としない。
【００７４】
一実施形態においては、セクション１１４が待機位置とされたときには、下側フランジ１２０の端部ケーブル１６０は、膨脹されている。これにより、動作のためにセットされた位置へと、複数のリングからなるシリーズ１３５を容易に配置することができる。
【００７５】
セクション１１４のこの待機位置においては、メンブラン１３０は、２つのフランジ１２０の間において張力がかけられており、メンブラン１３０によって規定されたチューブ状スペース１３２は、円筒形とされている。セクション１１４のこの待機位置においては、中央リング１４０とメンブラン１３０との間には、スペース１７０が存在している。
【００７６】
これに代えて、中央リング１４０とメンブラン１３０との間の接触に関連した摩擦力は、セクション１１４のこの待機位置とされているときには、中央リング１４０の重量よりも小さい。
【００７７】
図４は、動作位置において、セクション１１４を概略的に示す側面図である。動作位置は、例えば、冷海水パイプ１１２が真空吸引力によって動作している際の、セクション１１４の位置である。この場合、冷流体ポンプ４２が、プラットホーム１００上に設置されている。冷流体ポンプ４２は、冷海水パイプ１１２の頂部に配置されており、真空吸引を発揮する。この真空吸引が、冷海水パイプ１１２内に真空吸引力を生成する。
【００７８】
動作位置におけるセクション１１４の高さは、待機位置におけるセクション１１４の高さと比較して、より短い。
【００７９】
セクション１１４のこの動作位置においては、メンブラン１３０は、チューブ状スペース１３２の内部の水と、セクション１１４の外部の水と、の間の圧力差の効果のために、変形する。これにより、メンブラン１３０は、中央リング１４０に対して接触する。中央リング１４０とメンブラン１３０との間の接触は、例えば、中央リング１４０の外表面の全体にわたって起こる。
【００８０】
セクション１１４のこの動作位置においては、中央リング１４０は、メンブラン１３０によって所定位置に維持される。その結果、中央リング１４０の重量は、メンブラン１３０によって支持される。セクション１１４のこの動作位置においては、端部ケーブル１６０および中間ケーブル１５０のすべては、緩和されている。
【００８１】
動作真空吸引力の効果により、メンブラン１３０は、中央リング１４０上に支持される。メンブラン１３０と各中央リング１４０との間の摩擦力は、中央リング１４０の重量および他の外部応力（流れ、パイプの撓み、等）と比較して、より大きい。セクション１１４の高さ、および、リング１２０，１４０間の距離は、減少する。
【００８２】
図５は、格納のための収縮位置において、セクション１１４を概略的に示す側面図である。格納のための収縮位置は、セクション１１４の格納位置に対応する。格納のための収縮位置におけるセクション１１４の高さは、動作いちにおけるセクション１１４の高さと比較して、より短い。セクション１１４の容積は、低減されており、これにより、搬送および格納が容易とされている。セクション１１４が、搬送のために格納されたときには、また、輸送のための準備状態とされたときには、セクション１１４は、最大限にコンパクト化されている。
【００８３】
ケーブル１５０，１６０は、緩和されている。リング１２０，１４０の間の距離は、セクション１１４が動作位置とされたときのリング１２０，１４０の間の距離と比較して、１％〜１０％にまで低減されている。
【００８４】
これに代えて、格納のための収縮位置においてセクション１１４のフランジ１２０間にスペーサを追加することにより、構造を維持することができ、モジュールの圧潰を回避することができる。それらスペーサは、各セクション１１４の下側フランジ１２０と上側フランジ１２０との間に配置される。
【００８５】
本発明によるセクション１１４は、メンブラン１３０によって形成されたチューブ状スペース１３２内へと、中央リング１４０の存在によって、押し込まれる。複数のリングからなるシリーズ１３５により、外部圧力を受けたときのメンブラン構造を補強することができる。中央リング１４０は、セクション１１４が待機位置とされたときには、ケーブル１５０，１６０によってセクション１１４内において所定位置に維持される。また、中央リング１４０は、セクション１１４が動作位置とされたときにはまた格納のための収縮位置とされたときには、メンブラン１３０によってセクション１１４内において所定位置に維持される。メンブラン１３０は、中央リング１４０のところにおいては、無傷のままである。「無傷」という用語は、継ぎ目や溶接や穿孔を受けておらず、中央リング１４０を所定位置に維持し得ることを、意味している。
【００８６】
このようなセクション１１４は、外圧に対して効果的に耐えることができる。なぜなら、セクション１１４の待機位置においては、中央リング１４０とメンブラン１３０との間の局所的応力が、小さいからである。このことは、応力が、複数のリングがシースを介してメンブラン内に一体化された状況と比較して、より小さいことを意味する。
【００８７】
要するに、上記の本発明により、経済的に有利なコストを有したウォータパイプを得ることができ、製造が比較的簡便なウォータパイプを得ることができ、配置および分解が容易なウォータパイプを得ることができ、極限的な環境条件に耐え得るウォータパイプを得ることができる。さらに、このウォータパイプにより、海水を、より大きな流速で搬送することができる。海水の大きな流速により、そのようなウォータパイプを備えたＯＴＥ設備の低性能や圧力損失をオフセットすることができる。
【００８８】
本発明によるそのようなパイプは、沖合のＯＴＥ発電設備という技術分野において使用することができる。本発明は、また、大きな流体流速でもってポンピングや搬送を行う必要がある他の産業分野に適用することができる。例えば、本発明は、ガス液化プラントや、人工的な噴出、に適用することができる。そのようなパイプは、また、養殖のために冷水を搬送するに際して使用することができ、とりわけ、食品や化粧品やバイオ燃料の製造のための藻類養殖に際して使用することができる。
【００８９】
上記の様々な実施形態に加えて、本発明は、当業者がアクセス可能なすべての代替可能な実施形態を可能とする。特に、本発明は、中央リング１４０の様々な数や、ケーブル１５０，１６０のより多くの数や、中央リング１４０やフランジ１２０上におけるケーブル１５０，１６０の様々な構成、に関して適用することができる。
【００９０】
有利には、１個のセクション１１４あたりの中央リング１４０の数は、１〜２０とされる。
【００９１】
有利には、連続した２つの中央リング１４０の間においては、あるいは、フランジ１２０と中央リング１４０との間においては、６個のケーブル１５０，１６０が存在する。これにより、複数のリングからなるシリーズ１３５のバランスの最適化と、ケーブル１５０，１６０とメンブラン１３０との間の接触リスクの低減と、の間における妥協を得ることができる。これに代えて、６個よりも多くのケーブルを設けることができる。
【符号の説明】
【００９２】
１  海洋熱エネルギーシステム
１０６  海洋熱エネルギーシステム
１１２  ウォータパイプ
１１４  セクション
１１６  端部
１１８  端部
１２０  端部リング
１３０  変形可能なメンブラン
１３２  チューブ状スペース
１３５  複数のリングからなるシリーズ
１４０  中央リング
１４１  中央リング
１４２  中央リング
１４３  中央リング
１４４  中央リング
１５０  ケーブル
１５１  第１端部
１５２  第２端部
１６０  ケーブル
１７０  環状スペース
ＡＡ’  軸線方向
【図１】
2017512293.tif 000003
【図２】
2017512293.tif 000004
【図３】
2017512293.tif 000005
【図４】
2017512293.tif 000006
【図５】
2017512293.tif 000007
【図６】
2017512293.tif 000008
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
ウォータパイプ（１１２）を構成するモジュール式のセクション（１１４）であって、
このセクション（１１４）が、
−このセクション（１１４）の動作状態において、軸線方向（ＡＡ’）を有した水を導くためのチューブ状スペース（１３２）を包含し得る変形可能なメンブラン（１３０）であるとともに、前記チューブ状スペース（１３２）内に存在する水と、前記メンブラン（１３０）の外部に存在する水と、を分離させ得る、メンブラン（１３０）と；
−前記チューブ状スペース（１３２）内において前記軸線方向（ＡＡ’）に沿って延在する複数のリング（１２０，１４０；１４１，１４２，１４３，１４４）からなるシリーズ（１３５）と；
を具備し、
前記複数のリング（１２０，１４０；１４１，１４２，１４３，１４４）からなる前記シリーズ（１３５）が、
・２つの端部リング（１２０）であるとともに、各端部リング（１２０）が、前記軸線方向（ＡＡ’）に沿った前記セクション（１１４）の各端部（１１６，１１８）に配置され、前記変形可能なメンブランが前記端部リング（１２０）に対して固定された、２つの端部リング（１２０）と、
・前記２つの端部リング（１２０）の間に配置された少なくとも１つの中央リング（１４０，１４１，１４２，１４３，１４４）と、
・前記軸線方向（ＡＡ’）に沿って前記各リング（１２０，１４０；１４１，１４２，１４３，１４４）を隣接するリング（１２０，１４０；１４１，１４２，１４３，１４４）に対して連結するケーブル（１５０，１６０）と、
を備えている、
ことを特徴とするセクション。
【請求項２】
請求項１記載のセクション（１１４）において、
前記各ケーブル（１５０，１６０）が、端部リング（１２０）に対してあるいは中央リング（１４０；１４１，１４２，１４３，１４４）に対して連結された第１端部（１５１）および第２端部（１５２）を備え、
前記第１端部（１５１）および前記第２端部（１５２）が、各リング（１２０，１４０；１４１，１４２，１４３，１４４）まわりにおいて、角度的に均等に分散して配置されている、
ことを特徴とするセクション。
【請求項３】
請求項１または２記載のセクション（１１４）において、
−各ケーブル（１５０，１６０）が、第１中央リング（１４０；１４１，１４２，１４３，１４４）に対して連結された第１端部（１５１）と、端部リング（１２０）に対してあるいは第２中央リング（１４０；１４１，１４２，１４３，１４４）に対して連結された第２端部（１５２）と、を備え、
−各ケーブル（１５０，１６０）に関し、前記第１端部（１５１）が、前記第１中央リング（１４０；１４１，１４２，１４３，１４４）の前記第２端部（１５２）の直交的投影に対して、ｎを、前記第１中央リング（１４０；１４１，１４２，１４３，１４４）を前記第２中央リング（１４０；１４１，１４２，１４３，１４４）に対して連結しているあるいは前記第１中央リング（１４０；１４１，１４２，１４３，１４４）を前記端部リング（１２０）に対して連結しているケーブル（１５０，１６０）の数としたときに、３６０°／ｎよりも小さい角度の分だけ、角度的にオフセットされている、
ことを特徴とするセクション。
【請求項４】
請求項１〜３のいずれか１項に記載のセクション（１１４）において、
−連続した２つの前記リング（１２０，１４０；１４１，１４２，１４３，１４４）を連結している前記ケーブル（１５０，１６０）の数が、４以上とされ、
−前記複数のリングからなる前記シリーズ（１３５）が、少なくとも２つの前記中央リング（１４０；１４１，１４２，１４３，１４４）を有し、
−前記各リング（１２０，１４０；１４１，１４２，１４３，１４４）が、前記ケーブル（１５０，１６０）に対しての複数の固定ポイントを有し、
−前記中央リング（１４０；１４１，１４２，１４３，１４４）の前記各固定ポイントのところにおいて、前記ケーブルの各端部に関し、４つの前記ケーブル（１５０，１６０）のそれぞれの端部どうしが組み合わされており、２つの前記ケーブル（１６０）が、１つの前記中央リング（１４０；１４１，１４２，１４３，１４４）に対して連結され、他の２つの前記ケーブル（１５０，１６０）が、他の前記中央リング（１４０；１４１，１４２，１４３，１４４）に対してあるいは前記端部リング（１２０）に対して連結され、
−前記端部リング（１２０）の前記各固定ポイントのところにおいては、２つのケーブル（１５０）の端部が組み合わされている、
ことを特徴とするセクション。
【請求項５】
請求項１〜４のいずれか１項に記載のセクション（１１４）において、
前記セクション（１１４）が、動作位置と待機位置との間にわたって変形可能とされ、
前記中央リング（１４０；１４１，１４２，１４３，１４４）が、
−前記セクション（１１４）が前記動作位置にあるときには、前記変形可能なメンブラン（１３０）が、少なくとも１つの前記中央リング（１４０；１４１，１４２，１４３，１４４）に対して接触しているようにして、かつ、
−前記セクション（１１４）が前記待機位置にあるときには、少なくとも１つの前記中央リング（１４０；１４１，１４２，１４３，１４４）が、前記メンブラン（１３０）に対して、環状スペース（１７０）を形成するようにして、
配置されている、
ことを特徴とするセクション。
【請求項６】
請求項５記載のセクション（１１４）において、
前記ケーブル（１５０，１６０）が、張力状態と緩和状態との間にわたって変形可能とされ、
前記各中央リング（１４０；１４１，１４２，１４３，１４４）が、外表面を有し、
前記セクション（１１４）が前記動作位置にあるときには、前記ケーブル（１５０，１６０）が、前記緩和状態とされ、前記各中央リング（１４０；１４１，１４２，１４３，１４４）が、それらの前記外表面の全体上にわたって、前記メンブラン（１３０）に対して接触している、
ことを特徴とするセクション。
【請求項７】
請求項５または６記載のセクション（１１４）において、
前記複数のリングからなる前記シリーズ（１３５）が、２つの前記端部リング（１２０）の間に配置された少なくとも２つの前記中央リング（１４０；１４１，１４２，１４３，１４４）を有し、
前記ケーブル（１５０，１６０）が、張力状態と緩和状態との間にわたって変形可能とされ、
前記セクション（１１４）が前記待機位置にあるときには、前記軸線方向（ＡＡ’）において前記各中央リング（１４０；１４１，１４２，１４３，１４４）を最も近くの前記中央リング（１４０；１４１，１４２，１４３，１４４）に対して連結している前記ケーブル（１５０）が、前記張力状態とされ、なおかつ、前記中央リング（１４０；１４１，１４２，１４３，１４４）を２つの前記端部リング（１２０）の一方に対して連結している前記ケーブル（１６０）が、前記張力状態とされている、
ことを特徴とするセクション。
【請求項８】
請求項１〜７のいずれか１項に記載のセクション（１１４）において、
連続した２つの前記リング（１２０，１４０；１４１，１４２，１４３，１４４）を連結している前記ケーブル（１５０）の数が、６以上とされている、
ことを特徴とするセクション。
【請求項９】
請求項１〜８のいずれか１項に記載のセクション（１１４）において、
前記複数のリングからなる前記シリーズ（１３５）が、２つの前記端部リング（１２０）の間に配置された少なくとも２つの前記中央リング（１４０；１４１，１４２，１４３，１４４）を有し、
前記中央リング（１４０；１４１，１４２，１４３，１４４）が、互いに同じものとされ、
前記中央リング（１４０；１４１，１４２，１４３，１４４）が、同一の対称軸線を有し、
この対称軸線の方向が、前記セクション（１１４）の前記軸線方向（ＡＡ’）と同じである、
ことを特徴とするセクション。
【請求項１０】
ウォータパイプ（１１２）であって、
請求項１〜９のいずれか１項に記載された複数のセクション（１１４）を備え、
連続した前記セクション（１１４）の前記端部リング（１２０）どうしが、並置されていて、互いに対して連結されている、
ことを特徴とするウォータパイプ。
【請求項１１】
海洋熱エネルギーシステム（１，１０６）であって、
特に請求項１０記載のウォータパイプといったような少なくとも１つのパイプ（１１２）を具備し、
前記パイプが、前記軸線方向（ＡＡ’）に沿った主軸線を有し、
前記パイプの前記主軸線が、鉛直方向に配置されている、
ことを特徴とする海洋熱エネルギーシステム。
【国際調査報告】
2017512293.tif 000009
2017512293.tif 000010
2017512293.tif 000011
2017512293.tif 000012
2017512293.tif 000013
2017512293.tif 000014